(57)【要約】      （修正有）【課題】受信できる可能性の高い放送サービスをリスト表示するのに好適な、デジタル放送受信機及びリスト表示方法を提供する。【解決手段】デジタル放送受信機１００を、放送サービスを放送する複数の放送設備の各々について位置情報と識別情報とを関連付けて記憶する記憶部１４０と、受信中の放送サービスを放送する放送設備を識別情報に基づいて特定する特定部と、特定された放送設備と記憶部に記憶された他の放送設備の各々との距離を各放送設備の位置情報に基づいて取得する取得部と、複数の放送設備の各々にて放送される放送サービスのリスト１１２を保持する保持部と、取得部によって取得された各放送設備との距離に基づいてリスト内の放送サービスを並び替える並び替え部と、放送サービスが並び替えられたリストを表示する表示部１２０とを備える構成とする。【選択図】図１
2018164201.tif 000002
【特許請求の範囲】
【請求項１】
放送サービスを放送する複数の放送設備の各々について位置情報と識別情報とを関連付けて記憶する記憶部と、
受信中の放送サービスを放送する放送設備を前記識別情報に基づいて特定する特定部と、
特定された放送設備と前記記憶部に記憶された他の放送設備の各々との距離を各前記放送設備の位置情報に基づいて取得する取得部と、
前記複数の放送設備の各々にて放送される放送サービスのリストを保持する保持部と、
前記取得部によって取得された各放送設備との距離に基づいて前記リスト内の放送サービスを並び替える並び替え部と、
前記放送サービスが並び替えられたリストを表示する表示部と、
を備える、
デジタル放送受信機。
【請求項２】
前記並び替え部は、
前記受信中の放送サービスを放送する放送設備との距離が近い放送設備にて放送されている放送サービスほど上位に並べる、
請求項１に記載のデジタル放送受信機。
【請求項３】
前記並び替え部は、
前記受信中の放送サービスを前記他の放送設備の各々にて放送される放送サービスよりも上位に並べる、
請求項１又は請求項２に記載のデジタル放送受信機。
【請求項４】
前記並び替え部は、
前記受信中の放送サービスを放送する放送設備との距離が規定値以上となる放送設備にて放送されている放送サービスに対し、前記リストに表示されないようにフィルタ処理を行う、
請求項１から請求項３の何れか一項に記載のデジタル放送受信機。
【請求項５】
広域で放送される放送サービスと前記広域よりも狭い狭域で放送される放送サービスがあり、
前記並び替え部は、
前記広域で放送される放送サービスを前記狭域で放送される放送サービスよりも上位に並べる、
請求項１から請求項４の何れか一項に記載のデジタル放送受信機。
【請求項６】
放送サービスを放送する複数の放送設備の各々について位置情報と識別情報とを関連付けて記憶する記憶部と、
受信中の放送サービスを放送する放送設備を前記識別情報に基づいて特定する特定部と、
特定された放送設備の位置を起点として、前記記憶部に記憶された他の放送設備の各々にて放送される放送サービスの受信し易さを評価する評価部と、
前記複数の放送設備の各々にて放送される放送サービスのリストを保持する保持部と、
前記評価部によって評価された各放送サービスの受信し易さに基づいて前記リスト内の放送サービスを並び替える並び替え部と、
前記放送サービスが並び替えられたリストを表示する表示部と、
を備える、
デジタル放送受信機。
【請求項７】
前記評価部は、
次のパラメータ（１）〜（３）の少なくとも１つ、
（１）前記受信中の放送サービスを放送する放送設備と前記記憶部に記憶された他の放送設備の各々との距離、
（２）前記放送設備による放送の出力、
（３）放送サービスが放送されるエリアの広さ、
に基づいて前記放送サービスの受信し易さを示す評価値を算出し、
前記並び替え部は、
前記リスト内の放送サービスを前記評価値の高い順に並べる、
請求項６に記載のデジタル放送受信機。
【請求項８】
前記放送サービスは、
ＤＡＢ（Digital Audio Broadcasting）の放送サービスである、
請求項１から請求項５の何れか一項に記載のデジタル放送受信機。
【請求項９】
放送サービスを放送する複数の放送設備の各々について位置情報と識別情報とを関連付けて記憶部に記憶するデジタル放送受信機を用いて実行されるリスト表示方法であって、
受信中の放送サービスを放送する放送設備を前記識別情報に基づいて特定する特定ステップと、
特定された放送設備と前記記憶部に記憶された他の放送設備の各々との距離を各前記放送設備の位置情報に基づいて取得する取得ステップと、
前記取得ステップによって取得された各放送設備との距離に基づいて、前記複数の放送設備の各々にて放送される放送サービスのリストを並び替える並び替えステップと、
前記放送サービスが並び替えられたリストを表示する表示ステップと、
を含む、
リスト表示方法。
【請求項１０】
前記並び替えステップにて、
前記受信中の放送サービスを放送する放送設備との距離が近い放送設備にて放送されている放送サービスほど上位に並べる、
請求項９に記載のリスト表示方法。
【請求項１１】
前記並び替えステップにて、
前記受信中の放送サービスを前記他の放送設備の各々にて放送される放送サービスよりも上位に並べる、
請求項９又は請求項１０に記載のリスト表示方法。
【請求項１２】
前記並び替えステップにて、
前記受信中の放送サービスを放送する放送設備との距離が規定値以上となる放送設備にて放送されている放送サービスに対し、前記リストに表示されないようにフィルタ処理を行う、
請求項９から請求項１１の何れか一項に記載のリスト表示方法。
【請求項１３】
広域で放送される放送サービスと前記広域よりも狭い狭域で放送される放送サービスがあり、
前記並び替えステップにて、
前記広域で放送される放送サービスを前記狭域で放送される放送サービスよりも上位に並べる、
請求項９から請求項１２の何れか一項に記載のリスト表示方法。
【請求項１４】
放送サービスを放送する複数の放送設備の各々について位置情報と識別情報とを関連付けて記憶部に記憶するデジタル放送受信機を用いて実行されるリスト表示方法であって、
受信中の放送サービスを放送する放送設備を前記識別情報に基づいて特定する特定ステップと、
特定された放送設備の位置を起点として、前記記憶部に記憶された他の放送設備の各々にて放送される放送サービスの受信し易さを評価する評価ステップと、
前記評価ステップによって評価された各放送サービスの受信し易さに基づいて、前記複数の放送設備の各々にて放送される放送サービスのリストを並び替える並び替えステップと、
前記放送サービスが並び替えられたリストを表示する表示ステップと、
を含む、
リスト表示方法。
【請求項１５】
前記評価ステップにて、
次のパラメータ（１）〜（３）の少なくとも１つ、
（１）前記受信中の放送サービスを放送する放送設備と前記記憶ステップに記憶された他の放送設備の各々との距離、
（２）前記放送設備による放送の出力、
（３）放送サービスが放送されるエリアの広さ、
に基づいて前記放送サービスの受信し易さを示す評価値を算出し、
前記並び替えステップにて、
前記リスト内の放送サービスを前記評価値の高い順に並べる、
請求項１４に記載のリスト表示方法。
【発明の詳細な説明】
【技術分野】
【０００１】
本発明は、デジタル放送受信機及びリスト表示方法に関する。
【背景技術】
【０００２】
音響機器や映像機器等において音声や映像をデジタル符号化処理することが一般化している。このような音響機器等における音声や映像のデジタル符号化の趨勢はラジオ放送の分野にも波及し、幾つかの方式のデジタルラジオ放送が規格化され、実用化されている。その一つに、例えばＤＡＢ（Digital Audio Broadcast）が知られている。
【０００３】
ＤＡＢは、ＥＵＲＥＫＡ（European Research Coordination Agency）のプロジェクト１４７で規格化されたデジタルオーディオ放送規格であり、世界各国で実用放送され又は試験放送されている。ＤＡＢは、伝送方式としてＯＦＤＭ（Orthogonal Frequency Division Multiplex）を採用し、音声符号化にはMPEG Audio Layer 2とMPEG4 HE-AAC v2を採用している。
【０００４】
ＤＡＢの伝送フォーマットにおいては、約１．５ＭＨｚ帯域の一つの周波数ブロック（アンサンブル）の中に複数のサービス（音声サービス又はデータサービス）及びサービス構成情報が多重化されている。サービスには、１つのプライマリサービスコンポーネントが必ず含まれており、最大で１１個のセカンダリサービスコンポーネントが任意で含まれる。
【０００５】
アンサンブル、サービス、サービスコンポーネントにはそれぞれ、識別子として、ＥＩＤ（Ensemble Identifier）、ＳＩＤ（Service Identifier）、ＳＣＩｄＳ（Service Component Identifier within the Service）が設定されている。しかし、これらの識別子は、アルファベットや数字を列記したものにすぎない。そのため、ユーザが識別子からサービス等を直接識別することは難しい。
【０００６】
そこで、任意ではあるが、アンサンブル、サービス、サービスコンポーネントにはラベルが設定される。例えばサービスラベルやサービスコンポーネントラベルには、放送局名が付けられる。
【０００７】
ＤＡＢ受信機には、サービスラベルやサービスコンポーネントラベルをリストしたステーションリストが保持されている。ステーションリストは、例えばＤＡＢ受信機が全周波数帯域をシークし、シーク時に検出されたアンサンブルの情報を元に作成される。ユーザは、ステーションリストに並ぶラベルの中から１つのラベルを選択することにより、希望するサービスコンポーネントを視聴することができる。
【０００８】
例えば特許文献１に、ＤＡＢ受信機の具体的構成が記載されている。特許文献１に記載のＤＡＢ受信機は、ナビゲーションシステムから自車の現在位置（緯度・経度）を取得し、メモリに格納されている領域定義情報データから現在位置が含まれる領域のＩＤ記号を検索する。ＤＡＢ受信機は、現在位置が含まれる領域のＩＤ記号が判明すると、判明した領域にて放送されているサービスに関する情報をメモリから検索する。ＤＡＢ受信機は、検索されたサービスに関する情報（例えばＥＩＤ、アンサンブルの周波数のＩＤ記号）をリスト形式で表示装置の表示画面に表示させる。このリストは、ＤＡＢ受信機が現在受信可能なサービスの一覧を示す。ＤＡＢ受信機は、リストの中から希望するサービスがユーザによって選択されると、選択されたサービスを受信する。
【先行技術文献】
【特許文献】
【０００９】
【特許文献１】特許第３９７９７３１号公報
【発明の概要】
【発明が解決しようとする課題】
【００１０】
特許文献１に記載のＤＡＢ受信機では、シーク処理を実行することなく受信可能なサービスのリストを得ることができる。しかし、受信可能なサービスのリストを得るためには、ナビゲーションシステムから現在位置を採取する必要がある。言い換えると、特許文献１に記載のＤＡＢ受信機では、ナビゲーションシステムと連携しなければ、受信可能なサービスのリストを得ることができない。
【００１１】
特許文献１に記載のＤＡＢ受信機において、ナビゲーションシステムと連携しない場合には、例えば受信履歴のあるアンサンブルに含まれるサービスやサービスコンポーネントのラベルをリスト形式で表示することが考えられる。しかし、これでは、受信可能なサービスやサービスコンポーネントのラベルだけでなく、受信できない可能性の高いアンサンブルに含まれるサービスやサービスコンポーネントのラベルも区別なく表示されるという問題が指摘される。
【００１２】
本発明は上記の事情に鑑みてなされたものであり、その目的とするところは、受信できる可能性の高い放送サービスをリスト表示するのに好適なデジタル放送受信機及びリスト表示方法を提供することである。
【課題を解決するための手段】
【００１３】
本発明の一実施形態に係るデジタル放送受信機は、放送サービスを放送する複数の放送設備の各々について位置情報と識別情報とを関連付けて記憶する記憶部と、受信中の放送サービスを放送する放送設備を識別情報に基づいて特定する特定部と、特定された放送設備と記憶部に記憶された他の放送設備の各々との距離を各放送設備の位置情報に基づいて取得する取得部と、複数の放送設備の各々にて放送される放送サービスのリストを保持する保持部と、取得部によって取得された各放送設備との距離に基づいてリスト内の放送サービスを並び替える並び替え部と、放送サービスが並び替えられたリストを表示する表示部とを備える。
【００１４】
また、本発明の一実施形態において、並び替え部は、受信中の放送サービスを放送する放送設備との距離が近い放送設備にて放送されている放送サービスほど上位に並べる構成としてもよい。
【００１５】
また、本発明の一実施形態において、並び替え部は、受信中の放送サービスを他の放送設備の各々にて放送される放送サービスよりも上位に並べる構成としてもよい。
【００１６】
また、本発明の一実施形態において、並び替え部は、受信中の放送サービスを放送する放送設備との距離が規定値以上となる放送設備にて放送されている放送サービスに対し、リストに表示されないようにフィルタ処理を行う構成としてもよい。
【００１７】
放送サービスには、例えば、広域で放送される放送サービスと、広域よりも狭い狭域で放送される放送サービスがある。本発明の一実施形態において、並び替え部は、広域で放送される放送サービスを狭域で放送される放送サービスよりも上位に並べる構成としてもよい。
【００１８】
また、本発明の一実施形態に係るデジタル放送受信機は、放送サービスを放送する複数の放送設備の各々について位置情報と識別情報とを関連付けて記憶する記憶部と、受信中の放送サービスを放送する放送設備を識別情報に基づいて特定する特定部と、特定された放送設備の位置を起点として、記憶部に記憶された他の放送設備の各々にて放送される放送サービスの受信し易さを評価する評価部と、複数の放送設備の各々にて放送される放送サービスのリストを保持する保持部と、評価部によって評価された各放送サービスの受信し易さに基づいてリスト内の放送サービスを並び替える並び替え部と、放送サービスが並び替えられたリストを表示する表示部とを備える。
【００１９】
また、本発明の一実施形態において、評価部は、次のパラメータ（１）〜（３）の少なくとも１つ、
（１）受信中の放送サービスを放送する放送設備と記憶部に記憶された他の放送設備の各々との距離、
（２）放送設備による放送の出力、
（３）放送サービスが放送されるエリアの広さ、
に基づいて放送サービスの受信し易さを示す評価値を算出する構成としてもよい。この場合、並び替え部は、リスト内の放送サービスを評価値の高い順に並べる。
【００２０】
また、本発明の一実施形態において、放送サービスは、例えばＤＡＢの放送サービスである。
【００２１】
また、本発明の一実施形態に係るリスト表示方法は、放送サービスを放送する複数の放送設備の各々について位置情報と識別情報とを関連付けて記憶部に記憶するデジタル放送受信機を用いて実行される方法であり、受信中の放送サービスを放送する放送設備を識別情報に基づいて特定する特定ステップと、特定された放送設備と記憶部に記憶された他の放送設備の各々との距離を各放送設備の位置情報に基づいて取得する取得ステップと、取得ステップによって取得された各放送設備との距離に基づいて、複数の放送設備の各々にて放送される放送サービスのリストを並び替える並び替えステップと、放送サービスが並び替えられたリストを表示する表示ステップとを含む。
【００２２】
また、本発明の一実施形態に係るリスト表示方法は、放送サービスを放送する複数の放送設備の各々について位置情報と識別情報とを関連付けて記憶部に記憶するデジタル放送受信機を用いて実行される方法であり、受信中の放送サービスを放送する放送設備を識別情報に基づいて特定する特定ステップと、特定された放送設備の位置を起点として、記憶部に記憶された他の放送設備の各々にて放送される放送サービスの受信し易さを評価する評価ステップと、評価ステップによって評価された各放送サービスの受信し易さに基づいて、複数の放送設備の各々にて放送される放送サービスのリストを並び替える並び替えステップと、放送サービスが並び替えられたリストを表示する表示ステップとを含む。
【発明の効果】
【００２３】
本発明の一実施形態によれば、受信できる可能性の高い放送サービスをリスト表示するのに好適なデジタル放送受信機及びリスト表示方法が提供される。
【図面の簡単な説明】
【００２４】
【図１】本発明の一実施形態に係るデジタル放送受信機の構成を示すブロック図である。
【図２】本発明の一実施形態に係るデジタル放送受信機にて受信可能な各周波数ブロックに含まれるアンサンブルの構成を模式的に示す図である。
【図３】本発明の一実施形態に係るデジタル放送受信機のタッチパネルディスプレイ上に表示されるステーションリストを例示する図である。
【図４】本発明の一実施形態において実行される並び替え更新処理のフローチャートを示す図である。
【図５】図４に示される並び替え更新処理の前後のステーションリストを例示する図である。
【図６】本発明の一実施形態に係るデジタル放送受信機のフラッシュメモリに格納されているアンサンブル位置リストの構成を模式的に示す図である。
【図７】本発明の別の一実施形態において実行される並び替え更新処理のフローチャートを示す図である。
【発明を実施するための形態】
【００２５】
以下、本発明の実施形態について図面を参照しながら説明する。なお、以下においては、本発明の一実施形態として、ＤＡＢのサービスを受信することが可能なデジタル放送受信機を例に取り説明する。
【００２６】
図１は、本発明の一実施形態に係るデジタル放送受信機１００の構成を示すブロック図である。デジタル放送受信機１００は、例えば道路を走行する車両に搭載された車載器であり、図１に示されるように、ＭＰＵ（Micro Processing Unit）１１０、ＨＭＩ（Human Machine Interface）１２０、ＤＡＢブロック１３０、フラッシュメモリ１４０、オーディオアンプ１５０、スピーカ１６０及び通信インタフェース１７０を備えている。
【００２７】
なお、図１では、本実施形態の説明に必要な主たる構成要素を図示しており、デジタル放送受信機として一般的な構成要素である筐体など、一部の構成要素については、その図示を適宜省略している。
【００２８】
デジタル放送受信機１００は車載器に限らない。デジタル放送受信機１００は、例えば、スマートフォン、フィーチャフォン、ＰＨＳ（Personal Handy phone System）、タブレット端末、ノートＰＣ、ＰＤＡ（Personal Digital Assistant）、ＰＮＤ（Portable Navigation Device）、携帯ゲーム機等の携帯型端末であってもよい。
【００２９】
例えば車両にエンジンが掛けられると、図示省略されたバッテリからデジタル放送受信機１００の各種回路に電源ラインを通じて電源供給が行われる。ＭＰＵ１１０は電源供給後、内部メモリに格納された制御プログラムを読み出してワークエリアにロードし、ロードされた制御プログラムを実行することにより、デジタル放送受信機１００全体の制御を行う。
【００３０】
ＨＭＩ１２０は、ユーザと放送受信機１００とが情報をやり取りするためのインタフェースであり、具体的には、タッチパネルディスプレイ及びその周りに配置されたメカニカルキー、リモートコントローラ等である。ＭＰＵ１１０は、ＨＭＩ１２０に対する選局操作に従い、ＤＡＢブロック１３０に受信制御信号を出力する。
【００３１】
ＤＡＢブロック１３０は、ＤＡＢ信号の受信処理を行うブロックであり、アンテナ１３２及びＤＡＢ受信機１３４を備えている。
【００３２】
アンテナ１３２は、ＤＡＢアンサンブル信号を受信する。ＤＡＢアンサンブル信号は、復調の際にフレーム同期に用いられる同期チャンネル、サービス構成情報等が含まれるＦＩＣ（Fast Information Channel）、音声サービスやデータサービスが含まれるＭＳＣ（Main Service Channel）で構成されている。
【００３３】
ＦＩＣは、ＦＩＢ（Fast Information Block）で構成されており、ＥＩＤ、ＳＩＤ、ＳＣＩｄＳ等の各識別子及び該識別子に関連付けられたラベルデータを含む。ＦＩＢは、ＦＩＧ（Fast Information Group）及びＣＲＣ（Cyclic Redundancy Check）を含む。ＦＩＧは、その用途によりType 0からType 7の８種類で分類されている。
【００３４】
ＦＩＧは、ＦＩＧヘッダ及びＦＩＧデータフィールドを含む。ＦＩＧのTypeは、ＦＩＧヘッダ内で通知され、通知されるラベルの種類は、ＦＩＧデータフィールド内のExtensionで識別される。ラベルデータは、Type 1のＦＩＧで送信される。アンサンブルラベル、サービスラベル、サービスコンポーネントラベルはそれぞれ、Extension=0、Extension=1、Extension=４で通知される。アンサンブルラベルの通知を行うＦＩＧは、TypeとExtensionを組み合わせて、ＦＩＧ １／０（type 1 field for extension 0）と表記される。サービスラベル、サービスコンポーネントラベルの通知を行うＦＩＧについても同様に、ＦＩＧ １／１、ＦＩＧ １／４と表記される。
【００３５】
ＦＩＧデータフィールド内のType 1 fieldは、Identifier field、Character field、Character flag fieldで構成されている。ＦＩＧ Type 1のIdentifier fieldには、通知されるラベルがアンサンブルラベルの場合はＥＩＤが挿入され、サービスラベルの場合はＳＩＤが挿入され、サービスコンポーネントラベルの場合はＳＩＤ及びＳＣＩｄＳが挿入される。ＦＩＧ Type 1のCharacter fieldには、ラベルの文字列データ（データ長：１６Byte 固定）が挿入される。
【００３６】
ラベルの送信は、ＤＡＢ放送規格上必須ではないものの、少なくともサービスラベルの送信については強く推奨されている。実際上、ほぼ全ての放送局でサービスラベルの送信が行われている。また、サービスコンポーネントは、基本的に、サービスとサービスコンポーネント（プライマリサービスコンポーネント）とをユーザに識別させる必要がないため、ラベルが設定されていないことが多い。但し、セカンダリサービスコンポーネントについては、プライマリサービスコンポーネントと識別する必要上、ラベルが設定されていることが多い。また、アンサンブルラベルも送信されていることが多い。
【００３７】
ＤＡＢ受信機１３４は、アンテナ１３２にて受信されたＤＡＢアンサンブル信号を復調し、ＭＰＵ１１０より入力される受信制御信号に従い、復調されたＤＡＢアンサンブル信号からサービスを選択してデコードする。デコードすることによって得られた音声サービス信号、表示用データ（ラベルデータを含む。）はそれぞれ、オーディオアンプ１５０、ＨＭＩ１２０に出力される。
【００３８】
オーディオアンプ１５０は、ＤＡＢ受信機１３４より入力される音声サービス信号を増幅してスピーカ１６０に出力する。これにより、選局中の放送局より放送されている音声サービスが出力再生される。
【００３９】
ＨＭＩ１２０は、ＤＡＢ受信機１３４より入力される表示用データに基づいてタッチパネルディスプレイ上に現在の情報を表示する。タッチパネルディスプレイ上に表示される現在の情報の一例として、受信中のアンサンブルの周波数、アンサンブルラベル、選択（出力再生）されているサービスのラベル等が表示される。
【００４０】
通信インタフェース１７０は、ネットワーク上に置かれたサーバ等の外部装置と通信するためのインタフェースである。ＭＰＵ１１０は、通信インタフェース１７０を介して例えばインターネット上の情報を取得することができる。
【００４１】
［通常更新処理］
【００４２】
シーク処理を実行してステーションリストを更新（作成）する通常更新処理について説明する。図２に、受信可能な各周波数ブロックに含まれるアンサンブルの構成を模式的に示す。
【００４３】
図２に例示されるように、一つの周波数ブロック（アンサンブル）には、周波数ブロックＩＤ（例えば6A）、アンサンブルラベル（例えばEnsemble A）、ＥＩＤ（例えばCA11）、各サービスコンポーネントが含まれる。
【００４４】
サービスコンポーネントは、サービスとサービスコンポーネントに関する情報を含み、例示的には、サービスラベル（例えばDAB Station A-01）、ＳＩＤ（例えばCA09）、ＳＣＩｄＳ（例えば0）、プライマリ／セカンダリ種別（例えばPrimary）を含む。
【００４５】
プライマリサービスコンポーネントにはラベルが設定されていないことが多い。そのため、図２の例では、サービスラベルが挙げられている。別の一実施形態では、サービスラベルに加えて又はサービスラベルに代えて、プライマリサービスコンポーネントラベル（場合によってはセカンダリサービスコンポーネントラベル）が含まれていてもよい。
【００４６】
ＭＰＵ１１０の内部メモリには、受信経験のあるアンサンブルに属する放送サービスのラベル（サービス又はサービスコンポーネントのラベルであり、以下、説明の便宜上、「放送ラベル」と記す。）をリストしたステーションリスト１１２が格納される。図３に、ＨＭＩ１２０のタッチパネルディスプレイ上に表示されるステーションリスト１１２を例示する。
【００４７】
図３に示されるように、ステーションリスト１１２では、各周波数帯のアンサンブルが昇順に並べられており、且つ各アンサンブル内で放送ラベルがアルファベット順に並べられている。
【００４８】
なお、デジタル放送受信機１００のサイズ上の制約から、タッチパネルディスプレイを大画面化することは難しい。そのため、ステーションリスト１１２は、例えば、複数ページに分割して表示されたり、アンサンブル単位で表示されたりしてもよい。
【００４９】
ＭＰＵ１１０は、ＨＭＩ１２０に対するユーザ操作に従い、通常更新処理を実行してステーションリスト１１２を更新（作成）する。具体的には、ＭＰＵ１１０は、ステーションリスト１１２を内部メモリに保持している場合には、これを消去する。ＭＰＵ１１０は、次いで、ＤＡＢブロック１３０に受信制御信号を出力して、１つの周波数ブロックの選局を指示する。
【００５０】
ＤＡＢブロック１３０では、ＭＰＵ１１０より入力される受信制御信号に従って受信処理が行われる。ＤＡＢブロック１３０でアンサンブルが検出されてデコードが成功すると、ステーションリスト１１２の更新（作成）に必要なサービス構成情報が得られて、ＭＰＵ１１０に出力される。サービス構成情報には、図２に例示される情報以外に、例えばＥＣＣ（Extended Country Code）等の情報が含まれていてもよい。
【００５１】
ＭＰＵ１１０は、ＤＡＢブロック１３０よりサービス構成情報を取得すると、次の周波数ブロックの選局をＤＡＢブロック１３０に指示して、次の周波数ブロックについても同様にサービス構成情報の取得を試みる。ＭＰＵ１１０は、一定時間内にＤＡＢブロック１３０よりサービス構成情報を取得できなかった場合にも、次の周波数ブロックの選局をＤＡＢブロック１３０に指示してサービス構成情報の取得を試みる。
【００５２】
ＭＰＵ１１０は、このようなシーク処理を、ＤＡＢ放送の周波数帯域に含まれる全ての周波数ブロックについて行う。なお、ＤＡＢ放送の周波数帯域には、チャンネル５Ａから１３Ｆまでの４１チャンネルを含むBand III帯（１７４〜２４０ＭＨｚ）と、ＬＡからＬＷまでの２３チャンネルを含むL-Band帯（１４５２〜１４９２ＭＨｚ）がある。
【００５３】
ＭＰＵ１１０は、ＤＡＢ放送の周波数帯域に含まれる全ての周波数ブロックについてサービス構成情報の取得・取得失敗の結果が得られると、取得されたサービス構成情報に基づいてステーションリスト１１２を作成し、作成されたステーションリスト１１２をＨＭＩ１２０のタッチパネルディスプレイ上に表示させる（図３参照）。
【００５４】
ユーザは、ＨＭＩ１２０のタッチパネルディスプレイ上に表示されたステーションリスト１１２の中から希望局（サービス（プライマリサービスコンポーネント）又はセカンダリサービスコンポーネント）を選択することができる。ステーションリスト１１２上の希望局が選択操作されると、ＭＰＵ１１０は、選択された希望局に関連付けられて記憶されたアンサンブルの周波数、ＥＩＤ、ＳＩＤに基づいて希望局のサービスが放送されているアンサンブルを選局し、選択された希望局の音声サービスをスピーカ１６０より出力再生させる。
【００５５】
［並び替え更新処理］
チューナ（ＤＡＢ受信機１３４）を複数搭載する構成では、１つのチューナを用いて希望局を受信しつつ、他のチューナを用いてシーク処理を行い、ステーションリスト１１２を最新の内容に更新することができる。一方、本実施形態に係るデジタル放送受信機１００のように、チューナを１つしか搭載しない構成では、シーク処理を実行するためには希望局の受信を中断する必要がある。
【００５６】
ここで、図４に、本発明の一実施形態に係るデジタル放送受信機１００のＭＰＵ１１０により実行される処理であって、シーク処理を実行することなくステーションリスト１１２を更新することが可能な並び替え更新処理のフローチャートを示す。
【００５７】
図４に示される並び替え更新処理の実行にはシーク処理が不要なため、チューナを１つしか搭載しない構成であっても希望局を受信しつつステーションリスト１１２の更新が可能となる。また、図４に示される並び替え更新処理の実行には、特許文献１に記載の構成と異なり、ナビゲーションシステムとの連携が必要とされない。
【００５８】
図４に示される並び替え更新処理は、例えば、ステーションリスト１１２が既に作成されており、且つデジタル放送受信機１００の電源がオンされてからアンサンブルが受信可能となったタイミングや選局操作によって別のアンサンブルの受信を開始したタイミング等で実行が開始される。
【００５９】
図５（ａ）に、図４に示される並び替え更新処理が実行される前（並び替え更新前）のステーションリスト１１２を例示し、図５（ｂ）に、図４に示される並び替え更新処理が実行された後（並び替え更新後）のステーションリスト１１２を例示する。なお、図５に示されるステーションリスト１１２では、放送ラベルに加えてアンサンブルの情報やアンサンブル距離（後述）も表示される。但し、図３と同様に、放送ラベルだけが表示されてもよい。
【００６０】
本実施形態では、図５に示されるように、アンサンブルＡ〜Ｃ及びＷの情報がステーションリスト１１２に含まれている。
【００６１】
［図４のＳ１１（アンサンブル位置リスト１４２へのアクセス）］
フラッシュメモリ１４０には、アンサンブル位置リスト１４２が格納されている。図６に、アンサンブル位置リスト１４２の構成を模式的に示す。
【００６２】
図６に示されるように、アンサンブル位置リスト１４２には、各アンサンブルを放送する放送設備（例えば電波塔）に関する情報が含まれている。放送設備に関する情報には、例えば、ＥＩＤ、周波数帯（周波数ブロックＩＤ）、放送設備の位置（経度・緯度）、放送エリア種別（狭域／広域）が含まれる。狭域は、例えば国の一部地域（地方）であり、広域は、例えば国全土（全国）である。
【００６３】
アンサンブル位置リスト１４２は、例えばデジタル放送受信機１００の出荷段階でフラッシュメモリ１４０に格納されている。アンサンブル位置リスト１４２は、メモリカード等の記録メディアやインターネット等の手段を用いて事後的に得られてもよく、また、これらの手段を用いて適宜更新されてもよい。
【００６４】
本処理ステップＳ１１では、アンサンブル位置リスト１４２へのアクセスが行われる。
【００６５】
［図４のＳ１２（受信中のアンサンブルの判定）］
本処理ステップＳ１２では、現在受信しているアンサンブルのＥＩＤ（又は周波数ブロックＩＤ）と関連付けられた放送エリア種別がアンサンブル位置リスト１４２から読み込まれ、読み込まれた放送エリア種別から、現在受信しているアンサンブルの放送エリアが地方であるか否かが判定される。
【００６６】
ここでは、アンサンブルＢを受信している前提で本フローチャートの説明を行う。アンサンブルＢのＥＩＤはＣＢ１１である。図６によれば、ＣＢ１１と関連付けられた放送エリア種別が地方であるため、本処理ステップＳ１２では、ＹＥＳ判定となる。
【００６７】
なお、現在受信しているアンサンブルの放送エリアが全国である場合（Ｓ１２：ＮＯ）には、本フローチャートの処理が終了する。
【００６８】
［図４のＳ１３（アンサンブル距離の算出）］
本処理ステップＳ１３は、処理ステップＳ１２（受信中のアンサンブルの判定）にて現在受信しているアンサンブルの放送エリアが地方であると判定された場合（Ｓ１２：ＹＥＳ）に実行される。本処理ステップＳ１３では、アンサンブル位置リスト１４２に含まれている各放送設備の位置（経度・緯度）を用いて、現在受信しているアンサンブルを放送する放送設備と、ステーションリスト１１２に含まれる他のアンサンブルを放送する放送設備の各々との距離が算出される。説明の便宜上、ここで算出される距離を「アンサンブル距離」と記す。また、説明の便宜上、アンサンブルＡ、Ｂ、Ｃ、Ｗを放送する各放送設備を「放送設備Ａ」、「放送設備Ｂ」、「放送設備Ｃ」、「放送設備Ｗ」と記す。
【００６９】
アンサンブル距離は、基点（現在受信しているアンサンブルを放送する放送設備の位置）と端点（ステーションリスト１１２に含まれる他のアンサンブルを放送する放送設備の位置）との距離である。放送設備Ｂを起点した場合、各端点（放送設備Ａ、Ｃ、Ｗ）とのアンサンブル距離は次に示される通りである。
【００７０】
放送設備Ａとのアンサンブル距離    ：１００ｋｍ
放送設備Ｃとのアンサンブル距離    ：１０ｋｍ
放送設備Ｗとのアンサンブル距離    ：―
【００７１】
なお、アンサンブル位置リスト１４２において、放送エリア種別が全国となっているデータには、放送設備の位置（経度・緯度）が含まれていない。そのため、放送設備Ｗとのアンサンブル距離は算出されない。
【００７２】
また、放送エリア種別が地方のアンサンブルの中には、複数の放送設備で放送されるものもある。このような放送については、複数の放送設備の大凡の中間位置の緯度・経度が「放送設備の位置（経度・緯度）」としてアンサンブル位置リスト１４２に登録されている。
【００７３】
［図４のＳ１４（ステーションリスト１１２の並び替え）］
本処理ステップＳ１４では、処理ステップＳ１３（アンサンブル距離の算出）にて算出されたアンサンブル距離に基づいてステーションリスト１１２が並び替えられる。ステーションリスト１１２は、原則、現在受信しているアンサンブルに属する放送サービスの放送ラベルが最上位に位置し、且つその下位において、現在受信しているアンサンブルを放送する放送設備との距離が近い放送設備（言い換えると、アンサンブル距離が短い放送設備）にて放送される放送サービスの放送ラベルほど上位に位置するように並び替えられる。
【００７４】
現在受信しているアンサンブルを放送する放送設備については、アンサンブル距離が０ｋｍであるといえる。そのため、「ステーションリスト１１２は、原則、アンサンブル距離が短い放送設備にて放送される放送サービスの放送ラベルほど上位に位置するように並び替えられる。」と表現することもできる。
【００７５】
アンサンブル距離が短い放送設備ほどデジタル放送受信機１００との距離が近い可能性が高い。そのため、アンサンブル距離が短い放送設備にて放送される放送サービスほどデジタル放送受信機１００にて受信できる可能性が高い。すなわち、本処理ステップＳ１４では、受信できる可能性の高い放送サービスの放送ラベルほど上位に位置するようにステーションリスト１１２が並び替えられる。
【００７６】
ユーザは、所定の操作を行うことにより、並び替え更新後のステーションリスト１１２をＨＭＩ１２０のタッチパネルディスプレイ上に表示させることができる。
【００７７】
このように、本実施形態では、受信できる可能性の高い放送サービスの放送ラベルがステーションリスト１１２の上位に配置される。ステーションリスト１１２の上位は、例えばユーザの目に留まりやすく、また、画面スクロールせずに又は少ない画面スクロールで閲覧可能である。そのため、受信できる可能性の高い放送サービスの放送ラベルをステーションリスト１１２の上位に配置することにより、ユーザにとって選局時の利便性が向上する。
【００７８】
なお、本実施形態では、ステーションリスト１１２を並び替え更新するにあたり、幾つかの例外ルールが適用される。この種の例外ルールを適用するか否かについては、例えばユーザ操作によって適宜設定変更できるようにしてもよい。
【００７９】
《例外ルール１》
放送エリア種別が全国のアンサンブル（全国放送のアンサンブル）に属する放送サービスの放送ラベルを、放送エリア種別が地方のアンサンブル（一部地域で放送のアンサンブル）に属する放送サービスの放送ラベルよりも上位に並べる。
【００８０】
図４に示される並び替え更新処理の実行前には、アンサンブルＡ、Ｂ、Ｃ、Ｗの順に、各アンサンブルに属する放送サービスの放送ラベルが並べられている（図５（ａ）参照）。並び替え更新処理の実行後には、例外ルール１が適用されることにより、アンサンブルＷ、Ｂ、Ｃ、Ａの順に、各アンサンブルに属する放送サービスの放送ラベルが並べられる（図５（ｂ）参照）。
【００８１】
全国放送のアンサンブルは、受信できる可能性が極めて高い。そのため、図５（ｂ）の例では、アンサンブルＷに属する放送サービスの放送ラベルがステーションリスト１１２の最上位に配置される。
【００８２】
なお、複数の国（例えば欧州の各国）の全国放送のアンサンブルの情報がステーションリスト１１２に混在している場合があり得る。この場合、例えば、各国の全国放送のアンサンブルのＥＩＤの中から、現在受信しているアンサンブルのＥＩＤと国コード部分（先頭の４ｂｉｔ）が一致するアンサンブルが特定され、特定された全国放送のアンサンブルに属する放送サービスの放送ラベルがステーションリスト１１２の最上位に配置される。
【００８３】
なお、他の国の全国放送のアンサンブルは、受信できる可能性が低い。そのため、これらのアンサンブルは、例えばステーションリスト１１２の下位に表示されたり、ステーションリスト１１２に表示されないようにフィルタ処理がかけられたりする。
【００８４】
アルメニアやオーストリア、アイスランド等の一部の国では、国コードが同じである。各国の全国放送のアンサンブルのＥＩＤの中から適正なＥＩＤを特定する精度を向上させるため、ＥＣＣを参照することが好ましい。
【００８５】
《例外ルール２》
アンサンブル距離が規定値以上の放送設備で放送されるアンサンブルに属する放送サービスの放送ラベルを表示しない。
【００８６】
デジタル放送受信機１００から遠く離れた放送設備で放送されるアンサンブルを受信できる可能性は低い。このようなアンサンブルに属する放送サービスの放送ラベルに対し、ステーションリスト１１２に表示されないようにフィルタ処理を行うことにより、無駄な選局操作（受信できないアンサンブルを選択する操作）が避けられる。
【００８７】
例えば規定値を９０ｋｍとする場合を考える。この場合、アンサンブルＡに属する放送サービスの放送ラベルの表示がステーションリスト１１２から消去される。
【００８８】
以上が本発明の例示的な実施形態の説明である。本発明の実施形態は、上記に説明したものに限定されず、本発明の技術的思想の範囲において様々な変形が可能である。例えば明細書中に例示的に明示される実施例等又は自明な実施例等を適宜組み合わせた内容も本願の実施形態に含まれる。
【００８９】
上記の実施形態では、原則、アンサンブル距離が短い放送設備にて放送される放送サービスの放送ラベルほど上位に位置するようにステーションリスト１１２が並び替えられている。別の一実施形態では、現在受信しているアンサンブルを放送する放送設備の位置を起点とした、放送サービスの受信し易さを示す評価値が算出され、算出された評価値が高いアンサンブル順に、放送サービスの放送ラベルが並び替えられてもよい。
【００９０】
放送サービスの受信し易さを示す評価値は、例示的には、次のパラメータ（１）〜（３）の少なくとも１つ、
（１）アンサンブル距離、
（２）放送設備による放送の出力、
（３）アンサンブルが放送されるエリアの広さ、
に基づいて算出される。
【００９１】
図７に、別の一実施形態に係るデジタル放送受信機１００のＭＰＵ１１０により実行される処理であって、シーク処理を実行することなくステーションリスト１１２を更新することが可能な並び替え更新処理のフローチャートを示す。なお、図４に示される並び替え更新処理と重複する内容については説明を適宜簡略又は省略する。
【００９２】
［図７のＳ２１〜Ｓ２２］
本処理ステップＳ２１〜Ｓ２２では、図４の処理ステップＳ１１〜Ｓ１２と同じ処理が実行される。
【００９３】
［図７のＳ２３（評価値の算出）］
本処理ステップＳ２３では、ステーションリスト１１２に含まれる各アンサンブル（言い換えると各放送設備）について、パラメータ（１）〜（３）に基づいて放送サービスの受信し易さを示す評価値が算出される。なお、評価値の算出に先行して、パラメータ（１）である各放送設備のアンサンブル距離が算出される。パラメータ（２）、（３）については、例えばアンサンブル位置リスト１４２に予め含まれている。
【００９４】
本処理ステップＳ２３では、各パラメータに対してスコアリングが行われる。パラメータ（１）に対しては、アンサンブル距離が短いほど、高いスコアが付与される。パラメータ（２）に対しては、放送設備による放送の出力が高いほど、高いスコアが付与される。パラメータ（３）に対しては、アンサンブルが放送されるエリアが広いほど、高いスコアが付与される。
【００９５】
本処理ステップＳ２３では、各パラメータに対して付与されたスコアが加算され、その合計値が、ステーションリスト１１２に含まれる各アンサンブルに対する評価値として算出される。
【００９６】
［図７のＳ２４（ステーションリスト１１２の並び替え）］
本処理ステップＳ２４では、処理ステップＳ２３（評価値の算出）にて算出された評価値の高い順にステーションリスト１１２が並び替えられる。別の一実施形態では、放送サービスの受信し易さが、複数のパラメータを用いて多面的に評価される。そのため、より高い精度で、受信できる可能性の高い放送サービスの放送ラベルほど上位に位置するようにステーションリスト１１２が並び替えられる。
【符号の説明】
【００９７】
１００  デジタル放送受信機
１１０  ＭＰＵ
１１２  ステーションリスト
１２０  ＨＭＩ
１３０  ＤＡＢブロック
１３２  アンテナ
１３４  ＤＡＢ受信機
１４０  フラッシュメモリ
１４２  ＤＡＢラベルリスト
１５０  オーディオアンプ
１６０  スピーカ
１７０  通信インタフェース
【図１】
2018164201.tif 000003
【図２】
2018164201.tif 000004
【図３】
2018164201.tif 000005
【図４】
2018164201.tif 000006
【図５】
2018164201.tif 000007
【図６】
2018164201.tif 000008
【図７】
2018164201.tif 000009